(57)【特許請求の範囲】
【請求項１】
温度出力部及び時計部と、この温度出力部あるいは時計部からの出力に基づいて温度あるいは時刻を表示する表示部と、前記時計部を時刻設定モードに切り換えるとともに前記表示部の表示を温度表示から時刻表示に切り換える時刻設定スイッチと、時刻設定モードにした時計部に時刻を入力する＋、−の時刻調節スイッチとを備え、前記時計部は時刻設定スイッチ及び＋、−の時刻調節の操作によって起動されるタイマー部と、前記時刻設定スイッチが操作されてもそのまま計時動作を継続するともに、前記タイマー部がタイムアップしたときは、時刻設定モードを解除して温度表示モードに戻し、前記タイマー部がタイムアップするまでの計時動作中に時刻調節スイッチが操作されると、計時動作を停止して時刻調節スイッチによる入力を受け付けて時刻を増加あるいは減少させ、かつ前記時刻調節スイッチ操作の所定時間経過後あるいは前記時刻設定スイッチの操作のいずれかによって計時動作を再開して温度表示モードに戻す時計制御部とからなる空調機器の温度・時刻表示装置。
【請求項２】
表示部は時刻設定スイッチが押されて現在時刻が表示されている時と、＋、−の時刻調節スイッチが押されて現在時刻が変更されている時とでその表示形態が異なるように構成した請求項１記載の空調機器の温度・時刻表示装置。
【発明の詳細な説明】
【０００１】
【産業上の利用分野】
本発明は石油ファンヒータ、エアコン、電気温風機等の空調機器の温度・時刻表示装置に関するものである。
【０００２】
【従来の技術】
従来の空調機器の温度・時刻表示装置、例えば石油ファンヒータの温度・時刻表示装置は図４に示すように構成されていた。即ち、図４において、表示部１１は温度出力部１２或は時計部１３からの出力を受けて温度或は時刻のいずれかを表示しており、表示切り換えスイッチ１４を操作するとその表示が切り替わり、例えばそれまで温度表示しているときは現在時刻の表示に切り替わる。叉、時刻設定スイッチ１５を操作すると時刻設定モードに切り替わって計時動作を停止し、＋、−の時刻調節スイッチ１６、１７の操作によって時刻を調節することができ、調節完了後に再び時刻設定スイッチ１５を操作すれば計時モードに戻って計時動作を再開し表示部１１に現在時刻を表示するようになっている。
【０００３】
【発明が解決しようとする課題】
しかしながら上記従来の構成では、操作スイッチの数が多く、コストアップの要因になるという問題があった。
【０００４】
そこでこのような問題を解決すべく上記表示切り換えスイッチ１４と時刻設定スイッチ１５の機能を一つのスイッチで兼用させ、この兼用スイッチを操作すれば時計部１３が所定時間だけ時刻設定モードに切り替わるとともに表示部１１の表示が切り換えられるようにすることを考えた。
【０００５】
ところがこのように構成した場合、表示部１１の表示を切り換えるとき、例えば表示部１１が温度表示しているときに使用者が現在時刻を知ろうとして兼用スイッチを操作して時刻表示に切り換えると、時計部１３が時刻設定モードに切り替わってこの時刻設定モードになると所定時間だけ計時動作を停止してしまい、時計が遅れてしまうという問題が発生した。また、掃除をしているとき等に兼用スイッチに触れると上記と同様の結果となって時計が遅れてしまうなど、使用者が意図しないのに時計が遅れてしまうという問題が発生してしまった。
【０００６】
本発明はこのような問題を解決したもので、コストダウンと時計遅れ防止の両立を第１目的とし、使用性の向上を第２の目的としたものである。
【０００７】
【課題を解決するための手段】
本発明は上記目的を達成するために、第１の発明では、温度出力部及び時計部と、この温度出力部あるいは時計部からの出力に基づいて温度あるいは時刻を表示する表示部と、前記時計部を時刻設定モードに切り換えるとともに前記表示部の表示を温度表示から時刻表示に切り換える時刻設定スイッチと、時刻設定モードにした時計部に時刻を入力する＋、−の時刻調節スイッチとを備え、前記時計部は時刻設定スイッチ及び＋、−の時刻調節の操作によって起動されるタイマー部と、前記時刻設定スイッチが操作されてもそのまま計時動作を継続するともに、前記タイマー部がタイムアップしたときは、時刻設定モードを解除して温度表示モードに戻し、前記タイマー部がタイムアップするまでの計時動作中に時刻調節スイッチが操作されると、計時動作を停止して時刻調節スイッチによる入力を受け付けて時刻を増加あるいは減少させ、かつ前記時刻調節スイッチ操作の所定時間経過後あるいは前記時刻設定スイッチの操作のいずれかによって計時動作を再開して温度表示モードに戻す時計制御部とからなる構成としてある。第２の発明では第１の発明に加え、時刻設定スイッチが押されて現在時刻が表示されている時と、＋、−の時刻調節スイッチが押されて現在時刻が変更されている時とでその表示形態が異なるように構成してある。
【０００８】
【作用】
本発明は上記した第１の構成によって、時刻設定スイッチを操作すれば表示部の表示が切り換えられ、表示切り換えスイッチを必要とせずコストダウンが可能になる。しかも上記時刻設定スイッチを操作してもこれだけでは計時動作を停止しないので時計遅れが発生することもなく、使用者の意図しない時計遅れの発生もなくなる。
【０００９】
また、第２の構成によれば、時刻設定スイッチが押されて現在時刻が表示されている時は例えば点滅表示となって、＋、−の時刻調節スイッチが押されて現在時刻が変更されている時は点滅表示から点灯表示に変わるというようにその表示形態が異なるので、時刻確認や時刻設定が区別し易く使用性が向上する。
【００１０】
【実施例】
以下本発明の実施例を添付図面に基づいて説明する。図１は本実施例を説明する温度・時刻表示装置の制御部分のブロック図である。図１において、１は室温及び設定温度を出力する信号を出す温度出力部、２は時計部、３は前記温度出力部１あるいは時計部２からの出力に基づいて温度或は時刻を表示する表示部である。４は前記時計部２を時刻設定モードに切り換えるとともに前記表示部３による表示を温度表示から時刻表示に切り換える時刻設定スイッチ、５は時刻設定モードにした時計部２に時刻を入力する際に、時刻を増加方向に変更する指示を行なう＋の時刻調節スイッチ、６は時刻を減少方向に変更する指示を行なう−の時刻調節スイッチである。
【００１１】
前記時計部２は時刻設定スイッチ４及び＋、−の時刻調節スイッチ５、６の操作によって起動されるタイマー部７と、前記時刻設定スイッチ４が操作されてもそのまま計時動作を継続するとともに、前記タイマー部７がタイムアップするまでの計時動作中に＋、−の時刻調節スイッチ５及び６が操作されると計時動作を停止して＋、−の時刻調節スイッチ５及び６による入力を受け付け、かつ＋、−の時刻調節スイッチ５、６の操作の所定時間経過後あるいは前記時刻設定スイッチ４の操作のいずれかによって計時動作を再開する時計制御部８とからなる構成としてある。
【００１２】
次に上記のように構成した機器の動作を図２のフロー図を用いて説明する。
まず、ステップ２０では、現在のモードが時刻設定モードか否を確認し、時刻設定モードでなければステップ３０へ進む。時刻設定モードであれば、ステップ２１へ進み、タイマー部７の状態をみて、予め定められた時間が経過しておれば時刻設定モードを解除して温度表示モードに戻し、その時、時計制御部８が計時動作を停止していれば計時動作を再開し、ステップ２０へ戻る。時計制御部８が計時動作を停止していなければ、何もせず、ステップ２０へ戻る。
【００１３】
タイマー部７が予め定められた時間を経過していなければ、ステップ２２へ進み、時刻設定スイッチ４が押されたと判断されれば、時刻設定モードを解除し、その時、時計制御部８が計時動作を停止していれば計時動作を再開し、ステップ２０へ戻る。時計制御部８が計時動作を停止していなければ、何もせず、ステップ２０へ戻る。
【００１４】
時刻設定スイッチ４が押されていなければ、図３のステップ２３へ進み、＋の時刻調節スイッチ５が押されていなければステップ２４へ進む。＋の時刻調節スイッチ５が押されていれば、ステップ２３１へ進み、計時動作を行なっていれば、時計制御部８により計時動作を停止させ、ステップ２３２で表示部３の表示を点灯表示させ、さらにステップ２３３でタイマー部７のタイマーを起動し、ステップ２３４で時刻を増加させ、ステップ２０へ戻る。
【００１５】
また、ステップ２４において、−の時刻調節スイッチ６が押されていなければ、何もせずステップ２０へ戻り、−の時刻調節スイッチ６が押されていれば、ステップ２４１へ進み、計時動作を行なっていれば、時計制御部８により計時動作を停止させ、ステップ２４２で表示部３の表示を点灯表示させ、更にステップ２４３でタイマー部７のタイマーを起動し、ステップ２４４で時刻を減少させ、ステップ２０へ戻る。
【００１６】
更にステップ３０では、時刻設定スイッチ４が押されたか否かを判断し、押されていなければ、何もせず、ステップ２０へ戻り、押されていれば、ステップ３１でタイマー部７のタイマーを起動し、ステップ３２で、時刻設定モードにして現在時刻を点滅表示させ、ステップ２０へ戻る。
【００１７】
以上のステップ２０から３２を繰り返し制御を行なう。
このような構成によれば、使用者が現在時刻を知ろうとして時刻設定スイッチ４を操作して時刻表示に切り換えるとともに時刻設定モードにしても時計が停止することがなく、又、掃除時等で不用意に時刻設定スイッチに触れられても時刻が遅れることがなくなる。
【００１８】
また、時刻設定スイッチ４が押されて現在時刻が表示されている時は、点滅表示であるので、現在時刻変更中と区別しやすく、叉、＋、−の時刻調節スイッチが押されて現在時刻が変更されている時は、点滅表示から点灯表示するような構成にしてあるので、時刻設定がし易い。
【００１９】
【発明の効果】
以上、実施例の説明から明らかなように、本発明は、スイッチ数を減らしてコストダウンが図れると共に、時刻変更において、使用者が現在時刻を変更した場合のみ計時動作を停止させるので、現在時刻を正確に計時でき、時計の性能が向上する。
【００２０】
また、時刻設定スイッチが押されて現在時刻が表示されている時と、＋、−の時刻調節スイッチが押されて現在時刻が変更されている時とでその表示形態が異なるように構成したものにあっては、時刻設定スイッチが押されて現在時刻が表示されている時と現在時刻変更中とで表示が区別されるので使用性が向上する。
【図面の簡単な説明】
【図１】本発明の一実施例における温度・時刻表示装置のブロック図
【図２】同装置の動作を示すフロー図
【図３】同装置の時刻調節動作を示すフロー図
【図４】従来の入力制御装置のブロック図
【符号の説明】
１  温度出力部
２  時計部
３  表示部
４  時刻設定スイッチ
５  ＋の時刻調節スイッチ
６  −の時刻調節スイッチ
７  タイマー部
８  時計制御部
【図１】
0003616146.tif 000002
【図２】
0003616146.tif 000003
【図３】
0003616146.tif 000004
【図４】
0003616146.tif 000005